(57)【要約】【課題】  本発明は、ナビゲーション装置、ナビゲーション装置の制御方法、ナビゲーション装置の制御プログラム及びナビゲーション装置のサービス提供方法に関し、例えばカーナビゲーション装置に適用して、目的地と、この目的地に係る店舗、施設等の情報との連係を十分に図り、ユーザーによる使い勝手を一段と向上する。【解決手段】  本発明は、目的地に所在する店舗、施設をデータベースから検出し、この検出した店舗、施設からユーザーの嗜好に合致するものを選択して店舗、施設の情報をユーザーに提供する。【選択図】        図１
2006058193.tif 000002
【特許請求の範囲】
【請求項１】
目的地の入力を受け付けてユーザーを道案内するナビゲーション装置において、
地図を表示する表示手段と、
前記表示手段による地図上で、前記目的地の入力を受け付ける入力手段と、
データーベースの検索により、前記目的地の店舗、施設を検出する店舗、施設検出手段と、
前記店舗、施設検出手段で検出された店舗、施設をユーザーの嗜好により判定する判定手段と、
前記判定手段による判定結果に基づいて、前記店舗、施設の情報を選択的に前記ユーザーに提供する情報提供手段と
を備えることを特徴とするナビゲーション装置。
【請求項２】
目的地の入力を受け付けてユーザーを道案内するナビゲーション装置の制御方法において、
地図を表示し、前記地図上で、前記目的地の入力を受け付ける目的地入力のステップと、
データーベースの検索により、前記目的地の店舗、施設を検出する店舗、施設検出のステップと、
前記店舗、施設検出のステップで検出された店舗、施設をユーザーの嗜好により判定する判定ステップと、
前記判定ステップによる判定結果に基づいて、前記店舗、施設の情報を選択的に前記ユーザーに提供する情報提供のステップとを有する
ことを特徴とするナビゲーション装置の制御方法。
【請求項３】
前記情報提供のステップは、
前記目的地への到着時刻を予測する到着時刻予測のステップと、
前記判定ステップによりユーザーの嗜好に合致するとされる前記店舗、施設について、前記到着時刻予測のステップによる到着時刻により利用可能か否か判定する利用可能判定ステッとを有し、
前記利用可能判定ステップにより利用可能な場合にのみ、前記店舗、施設の情報を選択的に前記ユーザーに提供する
ことを特徴とする請求項２に記載のナビゲーション装置の制御方法。
【請求項４】
前記情報提供のステップにより前記店舗、施設の情報を提供する前記店舗、施設について、予約を行う予約のステップを有する
ことを特徴とする請求項２に記載のナビゲーション装置の制御方法。
【請求項５】
前記データーベースの検索により、前記目的地の近傍の店舗、施設を検出する近傍店舗、施設検出のステップと、
前記近傍店舗、施設検出のステップで検出された店舗、施設をユーザーの嗜好により判定する近傍施設の判定ステップとを有し、
前記情報提供のステップは、
前記判定ステップによる判定結果によっては、前記ユーザーに提供する前記店舗、施設の情報に係る前記店舗、施設が存在しない場合、前記近傍施設の判定ステップによる判定結果に基づいて、前記近傍店舗、施設検出のステップで検出される前記店舗、施設の情報を選択的に前記ユーザーに提供する
ことを特徴とする請求項２に記載のナビゲーション装置の制御方法。
【請求項６】
ナビゲーション装置に内蔵のコンピュータに所定の処理手順を実行させ、前記ナビゲーション装置の動作を制御するナビゲーション装置の制御プログラムにおいて、
地図を表示し、前記地図上で、前記目的地の入力を受け付ける目的地入力のステップと、
データーベースの検索により、前記目的地の店舗、施設を検出する店舗、施設検出のステップと、
前記店舗、施設検出のステップで検出された店舗、施設をユーザーの嗜好により判定する判定ステップと、
前記判定ステップによる判定結果に基づいて、前記店舗、施設の情報を選択的に前記ユーザーに提供する情報提供のステップとを有する
ことを特徴とするナビゲーション装置の制御プログラム。
【請求項７】
ナビゲーション装置を介してサービスを提供するナビゲーション装置のサービス提供方法であって、
前記ナビゲーション装置からの要求により、前記ナビゲーション装置で取得される目的地の位置情報に基づいて、前記ナビゲーション装置で目的地に設定される可能性のある店舗、施設の情報を蓄積したデーターベースを検索し、前記目的地の店舗、施設を検出する店舗、施設検出のステップと、
前記店舗、施設検出のステップで検出された店舗、施設を、前記ナビゲーション装置のユーザーの嗜好により判定する判定ステップと、
前記判定ステップによる判定結果に基づいて、前記店舗、施設の情報を選択的に前記ナビゲーション装置に通知する情報通知のステップとを有する
ことを特徴とするナビゲーション装置のサービス提供方法。
【発明の詳細な説明】
【技術分野】
【０００１】
本発明は、ナビゲーション装置、ナビゲーション装置の制御方法、ナビゲーション装置の制御プログラム及びナビゲーション装置のサービス提供方法に関し、例えばカーナビゲーション装置に適用することができる。本発明は、目的地に所在する店舗、施設をデーターベースから検出し、この検出した店舗、施設からユーザーの嗜好に合致するものを選択して店舗、施設の情報をユーザーに提供することにより、目的地と、この目的地に係る店舗、施設の情報との連係を十分に図り、ユーザーによる使い勝手を一段と向上する。
【背景技術】
【０００２】
従来、カーナビゲーション装置は、ルート検索の処理を実行してユーザーにより設定された目的地までの最適ルートを検出し、この最適ルートによりユーザーを目的地に道案内するようになされている。カーナビゲーション装置は、このような道案内に供する目的地が店舗、施設等の場合もあることにより、ユーザーの操作に応動して店舗、施設の情報を表示し、この表示を介して目的地の設定を受け付け、これにより目的地設定の利便等を図るようになされている。なおここで店舗、施設の情報は、各店舗、施設の名称、内容を紹介する情報である。
【０００３】
このような店舗、施設等の情報に関して、例えば特開２０００−１３６９３６号公報には、インターネットからこの種の情報を取得することが提案されている。また特開平９−１３３５４３号公報には、営業時間外の施設を、営業時間中の施設と識別可能に地図上に表示することが提案されている。
【０００４】
ところで実際上、従来のカーナビゲーション装置では、目的地と、この目的地に係る店舗、施設等の情報との連係が実用上未だ不十分な問題があり、これにより例えば店舗、施設の情報を頼りにせずに地図により目的地を設定した場合には、改めて店舗、施設の一覧より目的地の店舗等を検出し直さなければならない場合があった。
【特許文献１】特開２０００−１３６９３６号公報
【特許文献２】特開平９−１３３５４３号公報
【発明の開示】
【発明が解決しようとする課題】
【０００５】
本発明は以上の点を考慮してなされたもので、目的地と、この目的地に係る店舗、施設等の情報との連係を十分に図り、ユーザーによる使い勝手を一段と向上することができるナビゲーション装置、ナビゲーション装置の制御方法、ナビゲーション装置の制御プログラム及びナビゲーション装置のサービス提供方法を提案しようとするものである。
【課題を解決するための手段】
【０００６】
かかる課題を解決するため請求項１の発明においては、目的地の入力を受け付けてユーザーを道案内するナビゲーション装置に適用して、地図を表示する表示手段と、表示手段による地図上で、目的地の入力を受け付ける入力手段と、データーベースの検索により、目的地の店舗、施設を検出する店舗、施設検出手段と、店舗、施設検出手段で検出された店舗、施設をユーザーの嗜好により判定する判定手段と、判定手段による判定結果に基づいて、店舗、施設の情報を選択的にユーザーに提供する情報提供手段とを備えるようにする。
【０００７】
また請求項２の発明においては、目的地の入力を受け付けてユーザーを道案内するナビゲーション装置の制御方法に適用して、地図を表示し、地図上で、目的地の入力を受け付ける目的地入力のステップと、データーベースの検索により、目的地の店舗、施設を検出する店舗、施設検出のステップと、店舗、施設検出のステップで検出された店舗、施設をユーザーの嗜好により判定する判定ステップと、判定ステップによる判定結果に基づいて、店舗、施設の情報を選択的にユーザーに提供する情報提供のステップとを有するようにする。
【０００８】
また請求項６の発明においては、ナビゲーション装置に内蔵のコンピュータに所定の処理手順を実行させ、ナビゲーション装置の動作を制御するナビゲーション装置の制御プログラムに適用して、地図を表示し、地図上で、目的地の入力を受け付ける目的地入力のステップと、データーベースの検索により、目的地の店舗、施設を検出する店舗、施設検出のステップと、店舗、施設検出のステップで検出された店舗、施設をユーザーの嗜好により判定する判定ステップと、判定ステップによる判定結果に基づいて、店舗、施設の情報を選択的にユーザーに提供する情報提供のステップとを有するようにする。
【０００９】
また請求項７の発明においては、ナビゲーション装置を介してサービスを提供するナビゲーション装置のサービス提供方法に適用して、ナビゲーション装置からの要求により、ナビゲーション装置で取得される目的地の位置情報に基づいて、ナビゲーション装置で目的地に設定される可能性のある店舗、施設の情報を蓄積したデーターベースを検索し、目的地の店舗、施設を検出する店舗、施設検出のステップと、店舗、施設検出のステップで検出された店舗、施設を、ナビゲーション装置のユーザーの嗜好により判定する判定ステップと、判定ステップによる判定結果に基づいて、店舗、施設の情報を選択的にナビゲーション装置に通知する情報通知のステップとを有するようにする。
【００１０】
請求項１の構成により、目的地の入力を受け付けてユーザーを道案内するナビゲーション装置に適用して、地図を表示する表示手段と、表示手段による地図上で、目的地の入力を受け付ける入力手段と、データーベースの検索により、目的地の店舗、施設を検出する店舗、施設検出手段と、店舗、施設検出手段で検出された店舗、施設をユーザーの嗜好により判定する判定手段と、判定手段による判定結果に基づいて、店舗、施設の情報を選択的にユーザーに提供する情報提供手段とを備えるようにすれば、地図上で目的地をマーキングするだけで、興味をそそる店舗、施設の情報が提供される。これにより景勝地等を地図上で種々にマーキングして店舗により休息地を選択し、さらには例えばラーメン激戦区等の伝聞により目的地を設定して所望する店舗を見つけることができ、これらにより目的地と、この目的地に係る店舗、施設等の情報との連係を十分に図り、ユーザーによる使い勝手を一段と向上することができる。
【００１１】
これにより請求項２、請求項６、請求項７の構成によれば、目的地と、この目的地に係る店舗、施設等の情報との連係を十分に図り、ユーザーによる使い勝手を一段と向上することができるナビゲーション装置の制御方法、ナビゲーション装置の制御プログラム、ナビゲーション装置のサービス提供方法を提供することができる。
【発明の効果】
【００１２】
本発明によれば、目的地と、この目的地に係る店舗、施設等の情報との連係を十分に図り、ユーザーによる使い勝手を一段と向上することができる。
【発明を実施するための最良の形態】
【００１３】
以下、適宜図面を参照しながら本発明の実施例を詳述する。
【実施例１】
【００１４】
（１）実施例の構成
図１は、本発明の実施例に係るカーナビゲーション装置を関連する構成と共に示すブロック図である。このカーナビゲーション装置１において、ＧＰＳ（Global Positioning System ）部２は、ＧＰＳの衛星より得られる電波を受信して処理することにより現在位置の位置情報を検出し、この位置情報を出力する。
【００１５】
光ディスク装置３は、中央処理ユニット４の制御により光ディスクをアクセスし、目的地近傍、現在位置近傍等の地図データを光ディスクより読み出して出力する。
【００１６】
画像処理部５は、光ディスク装置３から出力される地図データにより表示に供する画像データを生成する。また画像処理部５は、中央処理ユニット４の制御により道案内に供する音声データを生成し、この音声データによりスピーカ６を駆動し、これによりこのカーナビゲーション装置１では、音声によってもユーザーを道案内する。表示部８は、液晶表示パネルにより構成され、光ディスク装置３から出力される地図等を表示する。グラフィック部９は、表示部８を駆動する駆動回路であり、中央処理ユニット４の制御により表示部８を駆動する。
【００１７】
インターフェース（Ｉ／Ｆ）１０は、ネットワークに接続する無線通信手段であり、この実施例では中央処理ユニット４の制御によりインターネット１１に接続し、このインターネット１１を介して店舗、施設等の情報等をサーバー１３からダウンロードする。
【００１８】
ここで店舗、施設等の情報は、店舗、施設等の名称、内容を紹介する情報であり、店舗においては、例えば飲食店、病院、ホテル等の大まかなジャンル、和風レストラン、ファミリーレストラン、ラーメン店等の細かなジャンルによるジャンルの情報、お勧めの商品、商品一覧等の提供されるサービスの情報、休業日、営業時間の情報、ＧＰＳシステムに対応した所在地の位置情報等により構成される。しかしてサーバー１３は、これら店舗、施設等の情報を蓄積して保持するデーターベースを保持し、カーナビゲーション装置１等からの要求によりカーナビゲーション装置１により指示される地域の店舗、施設に関し、これら店舗、施設等の情報を提供する。またインターフェース１０は、同様の中央処理ユニット４の制御により、中央処理ユニット４から出力される電子メールをメールサーバー１４に送信し、またこれとは逆に、メールサーバー１４に保持された電子メールを取得して中央処理ユニット４に出力する。
【００１９】
操作部１５は、このカーナビゲーション装置１の操作パネルに配置された操作子、リモートコマンダーにより構成され、ユーザーによる各種の操作を中央処理ユニット４に通知する。ランダムアクセスメモリ（ＲＡＭ）１６は、中央処理ユニット４のワークエリアを構成する。
【００２０】
ハードディスク装置１７は、中央処理ユニット４の処理プログラム、ユーザーにより設定された各種の項目のデータ、サーバー１３のアクセス記録等を記録して保持し、また傾向データーベース１７Ａ、店舗データーベース１７Ｂを記録して保持する。ここで店舗データーベース１７Ｂは、サーバー１３からダウンロードした店舗、施設の情報にお気に入りへの登録等が設定されて形成され、これら店舗、施設以外に、例えば友人の自宅所在地等も含まれる。これによりこのカーナビゲーション装置１では、この店舗データーベース１７Ｂの記録により、過去に訪れた店舗、施設、さらには友人宅等を簡易に目的地に設定できるようになされている。
【００２１】
傾向データーベース１７Ａは、ユーザーの嗜好を示す情報を蓄積したデーターベースであり、この実施例では、店舗データーベース１７Ｂに記録された店舗、施設より、ユーザーがお気に入りに登録した店舗、施設の情報を集計して形成される。具体的に、傾向データーベース１７Ａは、ユーザーがお気に入りに登録した店舗、施設の情報をジャンルにより分類集計し、また各ジャンルにあっては、サービスの情報を分類集計して形成される。
【００２２】
図２は、この傾向データーベース１７Ａの集計例を示す図表であり、大まかなジャンルでは飲食店に分類されラーメン店についての集計例である。この図２の例では、商品であるラーメンの種類により分類して、味噌ラーメン、醤油ラーメン、塩ラーメンがお進めの店舗をそれぞれ１０件、７件、１件、お気に入りに登録していることが示され、これによりユーザーの好みが味噌ラーメン、醤油ラーメンであることが示されている。またダシにより分類した場合には、和風煮干だし、とんこつこってりが特徴の店舗をそれぞれ２０件、５件、お気に入りに登録していることが示され、これによりダシについては和風煮干だしが好みであることが示されている。またいわゆる御当地ラーメンにより分類した場合に、和歌山、喜多方、尾道、九州の御当地ラーメンをそれぞれ１０件、３件、９件、１件、お気に入りに登録し、また量の多少、メンの種類による分類が示され、これらによりユーザーの好みが示されるようになされている。
【００２３】
中央処理ユニット４は、ランダムアクセスメモリ１６等と共にこのカーナビゲーション装置１全体の動作を制御するコンピュータを構成し、ランダムアクセスメモリ１６にワークエリアを確保してハードディスク装置１７に記録された一連の処理プログラムを実行することにより、表示部８を介して地図を表示し、道案内等の処理を実行する。なおこの処理プログラムにおいては、事前にハードディスク装置１７にインストールされて提供されるものの、このような事前のインストールによる提供に代えて、インターネット１１等のネットワークを介してダウンロードにより提供するようにしてもよく、さらには各種の記録媒体により提供するようにしてもよい。なおこのような記録媒体としては、磁気ディスク、光ディスク、メモリカード等の記録媒体を適用することができる。
【００２４】
すなわち中央処理ユニット４は、ユーザーにより目的地が設定され、この目的地までのルートの検索が指示されると、ＧＰＳ部２より得られる現在位置の位置情報、光ディスク装置３より得られる地図データに基づいて、目的地までのルートを検索する。さらにこのルートの表示、道案内が指示されると、画像処理部５、グラフィック部９の制御により対応する処理を実行する。
【００２５】
これらの処理において、中央処理ユニット４は、ユーザーによる操作に応動して店舗データーベース１７Ｂに記録された店舗、施設の情報を表示し、この表示により目的地の設定を受け付け、店舗データーベース１７Ｂに記録された目的地の位置情報に基づいてルート検索の処理を実行する。これによりこのカーナビゲーション装置１では、店舗、施設の情報を有効に利用して目的地設定の利便を図るようになされている。
【００２６】
これに対してユーザーが地図による目的地の選択を指示すると、中央処理ユニット４は、光ディスク装置３等の制御によりユーザーが指示した地域の地図を表示部８で表示し、この地図の表示上におけるマーキングにより目的地の設定を受け付ける。中央処理ユニット４は、このようにして地図により目的地の設定を受け付けると、この地図により検出される位置情報により現在位置からルート検索の処理を実行する。なおこの地図上における目的地のマーキングにあっては、ユーザーによる店舗、施設のマークの表示指示により、例えばラーメン店を示すマークを地図上に表示した状態で、このマークのマーキングにより実行するようにしてもよい。なおこの場合には、ハードディスク装置１７に、このようなマークの表示に供する店舗、施設の位置情報、店舗、施設の種類の情報を格納しておくことが前提となる。
【００２７】
ここで中央処理ユニット４は、事前に、動作モードの設定を受け付け、この動作モードの設定によりカーナビゲーション装置１の動作モードが店舗情報表示モードに設定されている場合、図３及び図４に示す処理手順の実行により、この地図により指示された目的地について、店舗、施設等の情報をユーザーに提供する。すなわち中央処理ユニット４は、この処理手順を開始すると、ステップＳＰ１からステップＳＰ２に移り、ユーザーにより目的地の設定を受け付け、この目的地の位置情報を地図の表示から検出する。また続くステップＳＰ３において、サーバー１３に対してこの検出した位置情報による店舗、施設の検索を指示し、この検索結果による店舗、施設の情報を取得する。
【００２８】
続いてステップＳＰ４に移り、ステップＳＰ３で取得した検索結果より、目的地に店舗、施設が存在するか否か判断する。ここで否定結果が得られると、この場合、中央処理ユニット４は、ステップＳＰ４からステップＳＰ５に移ってこの処理手順を終了する。これに対してステップＳＰ４で肯定結果が得られると、中央処理ユニット４は、このステップＳＰ３で取得した店舗、施設の情報を傾向データーベース１７Ａの記録により判定し、ユーザーの嗜好に合致する店舗、施設であるか否か判定する。
【００２９】
ここで例えば傾向データーベース１７Ａにおいて、ラーメン店の集計値が大きく、取得した店舗、施設の情報による店舗、施設がラーメン店である場合、ユーザーの嗜好に合致する店舗、施設であると判断することができる。またこのようにジャンルによっては、ユーザーの嗜好に合致する店舗、施設であると判断される場合であっても、傾向データーベース１７Ａにおいて、塩ラーメンの集計値が小さく、取得した店舗、施設の情報による店舗、施設が塩ラーメンを看板商品としているラーメン店の場合、最終的には、ユーザーの嗜好に合致する店舗、施設では無いと判断することができる。
【００３０】
これに対して傾向データーベース１７Ａにおいて、ラーメン店の集計値が小さく、さらには飲食店自体の集計値が小さい場合にあって、取得した店舗、施設の情報による店舗、施設がラーメン店である場合、ユーザーの嗜好に合致する店舗、施設では無いと判断することができる。これにより中央処理ユニット４は、傾向データーベース１７Ａの各集計値を所定のしきい値により判定してユーザーの嗜好に合致する大分類、小分類によるジャンル、サービス等を検出し、この検出結果によりステップＳＰ３で取得した店舗、施設の情報を判定してユーザーの嗜好に合致する店舗、施設であるか否か判定する。
【００３１】
しかしてユーザーの嗜好に合致する店舗、施設では無いと判定される場合、中央処理ユニット４は、ステップＳＰ４からステップＳＰ５に移ってこの処理手順を終了するのに対し、ユーザーの嗜好に合致する店舗、施設であると判定される場合、ステップＳＰ４からステップＳＰ６に移り、ステップＳＰ３の検索結果による店舗、施設の情報を店舗データーベース１７Ｂに記録する。
【００３２】
続いて中央処理ユニット４は、ステップＳＰ７に移り、目的地への到着時刻を予測し、またステップＳＰ３で取得した店舗、施設の情報より、休業日、営業時間の情報を抽出する。続いて中央処理ユニット４は、ステップＳＰ８に移り、ステップＳＰ７で予測した到着時刻等により、目的地の店舗、施設を利用可能か否か判断し、ここで肯定結果が得られるとステップＳＰ８からステップＳＰ９に移り、この店舗、施設の情報を表示部８に表示する。これによりこのカーナビゲーション装置１では、目的地と、目的地に係る店舗、施設等の情報との連係が図られ、地図上でマーキングするだけの操作により、マーキングされた箇所の店舗、施設の情報を利用することができ、その分、従来に比して使い勝手を向上するようになされている。また傾向データーベース１７Ａの記録に基づいてユーザーの嗜好に合致する店舗、施設の情報を選択的にユーザーに通知することにより、多数の店舗、施設に関して店舗、施設の情報が検出された場合にあっても、ユーザーにとって必要と考えられる店舗、施設の情報だけをユーザーに提供してユーザーの使い勝手を向上するようになされている。
【００３３】
なおこの店舗、施設の情報のユーザーの提供にあっては、例えば表示部８の表示画面を２つに分割し、分割した一方の画面に地図を表示した状態で、分割した他方の画面に店舗、施設の情報を表示して実行される。中央処理ユニット４は、このときこの店舗、施設の情報による店舗、施設の位置に、店舗、施設のジャンルに対応するマークを表示して店舗、施設の情報をユーザーに提供する。これによりこの実施例では、目的地と店舗、施設の情報による店舗、施設との位置関係を簡易に把握できるようにする。
【００３４】
また中央処理ユニット４は、この表示に供する店舗、施設の情報により、またこの表示に供する店舗、施設の情報と店舗データーベース１７Ｂの記録との比較により、店舗、施設の情報による店舗、施設が、移転先の店舗、施設の場合、図５に示すように、移転元の店舗、施設のマークを識別可能に併せて表示する。因みに、この図５の例では、移転元の店舗を示すマークを薄く表示すると共に、移転元から移転先への矢印を併せて表示し、これらにより移転先と移転元とを識別可能に表示するようになされている。
【００３５】
続いて中央処理ユニット４は、ステップＳＰ１０に移り、この目的地への予約の要否を判定する。ここで中央処理ユニット４は、店舗、施設の情報より目的地の店舗、施設が予約を受け付けているか否か判断し、予約を受け付けていない場合には、ステップＳＰ１０からステップＳＰ５に移ってこの処理手順を終了する。また予約を受け付けている場合には、この予約を受け付けている設備の内容を到着予測時刻により判断して、この設備を利用する可能性があるか否か判定する。すなわちこの店舗、施設の情報に係る店舗、施設が例えばゴルフ場であり、到着予測時刻よりこのゴルフ場の利用時間に昼食の時間帯が含まれる場合、中央処理ユニット４は、このゴルフ場に設けられたレストランについては、利用する可能性があると判断する。これに対してこの店舗、施設の情報に係る店舗、施設が飲食店の場合、遅い昼食等の場合も考えられることにより、中央処理ユニット４は、利用する可能性があると判断する。
【００３６】
このようにして利用する可能性があると判断すると、中央処理ユニット４は、利用可能な施設名と共に予約するか否かのメニューを表示部８に表示し、このメニューの選択を受け付ける。これらにより中央処理ユニット４は、店舗、施設の情報、利用時間により予約する可能性があるか否か、予備的に判断した後、最終的にユーザーによる判断を受け付ける。しかして利用する可能性が無いと判断される場合、さらにはユーザーにより予約が不要との指示が得られた場合、中央処理ユニット４は、ステップＳＰ１０からステップＳＰ５に移ってこの処理手順を終了する。
【００３７】
またユーザーにより予約が指示された場合、ステップＳＰ１０からステップＳＰ１１に移り、ユーザー登録に係るユーザー名等によりインターフェース１０を介して電子メールを送出し、これによりこの店舗、施設の情報に係る店舗、施設に予約を入れ、ステップＳＰ５に移ってこの処理手順を終了する。
【００３８】
なおステップＳＰ３において複数件の店舗、施設の情報が検出され、これら複数件が何れも予約の可能性のある場合、中央処理ユニット４は、これら複数件に係る店舗、施設の情報を表示してユーザーによる選択を受け付け、ユーザーにより選択された店舗、施設の情報について、予約の処理を実行する。
【００３９】
これに対してステップＳＰ３で検出された店舗、施設の情報に係る店舗、施設が何れも利用困難な場合、中央処理ユニット４は、ステップＳＰ８で否定結果が得られることにより、ステップＳＰ８からステップＳＰ１２に移る。ここで中央処理ユニット４は、表示部８における地図の表示上において、ユーザーにより指示された目的地の箇所に×の印を表示し、ステップＳＰ１３において、類似検索の処理を実行する。
【００４０】
ここで類似検索においては、ステップＳＰ３で検索に供したユーザーにより目的地の位置情報を基準にして、この位置情報による位置を中心にした所定範囲でサーバー１３に店舗、施設の情報の検索を指示することにより実行される。これにより中央処理ユニット４は、ユーザーが指示した目的地において、ユーザーの嗜好に合致した利用可能な店舗、施設が存在しない場合、目的地近傍の店舗、施設に関して、店舗、施設の情報を取得し、続くステップＳＰ１４において、この取得した店舗、施設の情報をステップＳＰ４と同一に判定してユーザーの嗜好に合致するか否か判断する。またユーザーの嗜好に合致する場合には、ステップＳＰ８と同様に利用可能か否か判断する。
【００４１】
ここで否定結果が得られると、中央処理ユニット４は、ステップＳＰ１４からステップＳＰ５に移ってこの処理手順を終了するのに対し、ステップＳＰ１４で肯定結果が得られると、ステップＳＰ１４からステップＳＰ１５に移る。ここで中央処理ユニット４は、ステップＳＰ９と同様にして店舗、施設の情報をユーザーに提供する。また当初、ユーザーにより指示された目的地との地図上における対比により、この店舗、施設の情報に係る店舗、施設の位置を表示する。ここで中央処理ユニット４は、ユーザーが目的地の変更を指示した場合、ステップＳＰ２で取得した目的地をこの店舗、施設の情報に係る店舗、施設に変更した後、ステップＳＰ５に移るのに対し、何らユーザーが目的地の変更を指示しない場合、目的地を変更することなく、ステップＳＰ５に移ってこの処理手順を終了する。なおこのステップＳＰ１５においても、ステップＳＰ１０、ステップＳＰ１１について上述したと同様にして、利用可能な設備を予約する。
【００４２】
しかしてこのステップＳＰ１５の処理により目的地を変更した場合、中央処理ユニット４は、改めてルート検索し直し、この変更した目的地にユーザーを道案内する。
【００４３】
これに対して事前の設定により動作モードが店舗情報表示モードに設定されていない場合、中央処理ユニット４は、図３、図４に示す処理手順を実行することなく、ユーザーにより設定された目的地にユーザーを道案内する。
【００４４】
また中央処理ユニット４は、図３及び図４の処理手順の実行により予約の電子メールを発送した場合、図６の処理手順の実行により、到着予測時刻に対する遅延時間を監視し、必要に応じて予約キャンセルの電子メールを発送する。すなわち中央処理ユニット４は、予約の電子メールを発送した後においては、この処理手順を開始し、ステップＳＰ２１からステップＳＰ２２に移る。ここで中央処理ユニット４は、現在位置から到着時刻を予測し直し、当初予測した到着予測時刻との比較により遅延時間を計算する。中央処理ユニット４は、この遅延時間が一定時間以上となったか否か判断し、ここで否定結果が得られると、ステップＳＰ２３に移り、一定時間の時間経過を待ってステップＳＰ２２に戻る。
【００４５】
これにより中央処理ユニット４は、遅延時間を監視し、遅延時間が一定時間以上となると、ステップＳＰ２２で肯定結果が得られることにより、ステップＳＰ２２からステップＳＰ２４に移る。
【００４６】
ここで中央処理ユニット４は、遅延時間をユーザーに通知し、予約をキャンセルするか否かの入力を受け付ける。ここで否定結果が得られると、中央処理ユニット４は、ステップＳＰ２４からステップＳＰ２５に移り、ステップＳＰ２２の遅延時間の判定に供する判定基準値を増大させた後、ステップＳＰ２２に戻る。これにより中央処理ユニット４は、例えば当初３０分の遅延により予約をキャンセルするか否かユーザーに問い合わせし、ユーザーが予約をキャンセルしない場合には、遅延時間が１時間となった時点で、改めて予約をキャンセルするか否かユーザーに問い合わせする。
【００４７】
しかしてこのような処理の繰り返しにより、ステップＳＰ２４で肯定結果が得られると、中央処理ユニット４は、ステップＳＰ２４からステップＳＰ２６に移り、予約をキャンセルする電子メールを発送した後、ステップＳＰ２７に移ってこの処理手順を終了する。またこのような処理を繰り返しているうちに目的地に到着した場合、中央処理ユニット４は、この処理手順を終了する。
【００４８】
これらによりこの実施例において、光ディスク装置３、画像処理部５、グラフィック部９、表示部８は、地図を表示する表示手段を構成し、操作部１５は、この表示手段による地図上で、目的地の入力を受け付ける入力手段を構成する。また中央処理ユニット４、インターフェース１０は、サーバー１３によるデーターベースの検索により、目的地の店舗、施設を検出する店舗、施設検出手段を構成し、中央処理ユニット４及び傾向データーベース１７Ａは、この店舗、施設検出手段で検出された店舗、施設をユーザーの嗜好により判定する判定手段を構成し、中央処理ユニット４は、さらにこの判定手段による判定結果に基づいて、店舗、施設の情報を選択的にユーザーに提供する情報提供手段をグラフィック部９、表示部８と共に構成する。
【００４９】
（２）実施例の動作
以上の構成において、このカーナビゲーション装置１では、ユーザーによる操作部１５の操作により光ディスク装置３から地図データをロードして画像処理部５により処理し、この処理結果に基づいたグラフィック部９の駆動により表示部８に地図が表示される。このカーナビゲーション装置１では、この表示部８に表示の地図を操作部１５の操作により切り換え、またこの地図上にてカーソルを設定してマーキングすることにより、目的地が設定される。カーナビゲーション装置１では、ＧＰＳ部２で検出される現在位置からこの目的地までの経路について、ユーザーによる操作部１５の操作によりルート検索が指示されると、ルート検索の処理が実行されて最適なルートが検出され、このルートにより道案内するように表示部８の表示が切り換えられ、またスピーカ６から音声による案内が提供される。
【００５０】
カーナビゲーション装置１では、このようにして地図により目的地を設定する場合、動作モードの設定により、目的地の位置情報によりサーバー１３がアクセスされ、このサーバー１３に形成されたデーターベースの検索によりこの目的地に存在する店舗、施設が検出される。またこの店舗、施設に係る店舗、施設の情報がサーバー１３からダウンロードされる。カーナビゲーション装置１では、傾向データーベース１７Ａの記録よりユーザーの嗜好が判定され、サーバー１３から取得された店舗、施設の情報がユーザーの嗜好に合致するものか否か判定される。またユーザーの嗜好に合致するものについては、このようにして取得された店舗、施設の情報が表示部８により表示されてユーザーに提供される。
【００５１】
これによりユーザーにおいては、単に目的地をマーキングするだけで、興味をそそる店舗、施設の情報が自動的に提供されることになり、これによりマーキングを繰り返して目的地を種々に変更して店舗、施設により休息地を選択する等のスケジューリングを実行することができる。また例えば伝聞によるラーメン激戦区を地図によりマーキングするだけで、所望する店舗を見つけることができる。また店舗、施設の名称を正確に覚えていない場合、さらには場所を正確に覚えていない場合等にあっても、所望する店舗、施設を簡易かつ確実に見つけ出すことができる。
【００５２】
また目的地に多数の店舗、施設が存在する場合でも、ユーザーの嗜好に合致するか否かの判定により、ユーザーに必要とする店舗、施設のみ情報を提供することができ、これによりユーザーにより煩雑さを有効に回避することができる。
【００５３】
これらによりこのカーナビゲーション装置１では、目的地と、目的地に係る店舗、施設等の情報との連係が十分に図られ、ユーザーによる使い勝手を一段と向上することができる。
【００５４】
またこのようにして店舗、施設の情報を提供するようにして、カーナビゲーション装置１では、到着時刻が予測され、この予測された到着時刻により、店舗、施設の設備を利用可能か否かが判定され、利用可能な場合についてのみ、店舗、施設の情報がユーザーに提供される。これによりいわゆるユーザーの無駄足を有効に回避することができ、その分、使い勝手が向上される。
【００５５】
また利用可能な場合にあって、ユーザーによる指示を受け付けて電子メールにより予約が行われる。これによりユーザーにおいては、いちいち設備を確認して予約の電話を入れる等の一連の予約に係る作業から開放されることになり、その分、ユーザーの利便が一段と図られる。
【００５６】
また目的地でユーザーの嗜好に合致する利用可能な店舗、施設が検出されない場合、近傍の店舗、施設がサーバー１３の記録より検出され、この検出した店舗、施設からユーザーの嗜好に合致するもの、利用可能なものが選択されて店舗、施設の情報がユーザーに提供される。これによっても正確に目的地に係る店舗、施設を把握できていない場合に、所望する店舗、施設を簡易かつ確実に見つけ出すことができる。
【００５７】
また予約した場合には、道案内において、遅延時間が監視され、遅延時間が一定時間以上となった場合には、ユーザーの了承により予約がキャンセルされる。すなわち実際にドライブする場合にあっては、渋滞により到着が遅れる場合がある。また途中の寄り道等によっても、到着が遅れる場合がある。これに対してこの実施例のように、ユーザーの手を煩わさないで予約した場合にあっては、ついつい予約のことを忘れることも考えられる。しかしながらこのような実施例にあっては、このように予約を忘れている場合でも、予約をキャンセルすることができ、これによっても使い勝手が向上される。
【００５８】
（３）実施例の効果
以上の構成によれば、目的地に所在する店舗、施設をデーターベースから検出し、この検出した店舗、施設からユーザーの嗜好に合致するものを選択して店舗、施設の情報をユーザーに提供することにより、目的地と、この目的地に係る店舗、施設等の情報との連係を十分に図り、ユーザーによる使い勝手を一段と向上することができる。
【００５９】
またこのとき目的地への到着時刻を予測し、この到着時刻により検出した店舗、施設を利用可能な場合にのみ、店舗、施設の情報を選択的にユーザーに提供することにより、ユーザーの無駄足を防止することができる。
【００６０】
またこのような店舗、施設に関して、電子メールにより予約を行うことにより、一段とユーザーの利便を図ることができる。
【００６１】
またユーザーの嗜好に合致する店舗、施設が存在しない場合、目的地近傍の店舗、施設からユーザーの嗜好に合致する店舗、施設を検出して店舗、施設の情報を選択的にユーザーに提供することによっても、一段とユーザーの使い勝手を向上することができる。
【実施例２】
【００６２】
この実施例においては、図３及び図４について上述した店舗、施設の情報の選択に係る一連の処理をサーバー１３側により実行する。なおこの実施例においては、このように一連の処理に係る分担が、カーナビゲーション装置１側とサーバー１３側とで異なっている点を除いて、実施例１について上述したシステムと同一に構成されることにより、以下の説明においては、図１の構成を流用して説明する。
【００６３】
すなわちこの実施例において、カーナビゲーション装置１の中央処理ユニット４は、動作モードが店舗情報表示モードに設定された状態で、地図上にてユーザーにより目的地が設定されると、この目的地の位置情報、現在位置の位置情報により店舗、施設の情報をサーバー１３にリクエストする。サーバー１３においては、カーナビゲーション装置１の傾向データーベースを保持し、このリクエストにより目的地に所在する店舗、施設を検出し、またこの検出した店舗、施設をカーナビゲーション装置１に係る傾向データーベースにより判定してユーザーの嗜好に合致するか判定する。また到着時刻を予測してユーザーの嗜好に合致する店舗、施設が利用可能か判定し、利用可能な場合には、この利用可能な店舗、施設に係る店舗、施設の情報をカーナビゲーション装置１に通知する。
【００６４】
またこのようなユーザーの嗜好に合致した利用可能な店舗、施設を検出できない場合、検索範囲を拡大して目的地近傍からこのような店舗、施設を検出し、店舗、施設の情報をカーナビゲーション装置１に通知する。
【００６５】
この実施例のようにユーザーに提供する店舗、施設の情報をサーバー側で検出するようにしても、実施例１と同様の効果を得ることができる。
【実施例３】
【００６６】
なお上述の実施例１においては、図３に示すステップＳＰ４で否定結果が得られるとステップＳＰ５に移って処理を終了する場合について述べたが、本発明はこれに限らず、ステップＳＰ４で否定結果が得られると、スッテプＳＰ４からスッテプＳＰ１３に移って広傍より店舗、施設を検出するようにしてもよい。
【００６７】
また上述の実施例１においては、サーバーをアクセスして店舗、施設の情報を取得する場合について述べたが、本発明はこれに限らず、カーナビゲーション装置側にデーターベースを設けるようにして、このデーターベースより店舗、施設の情報を取得する場合にも広く適用することができる。
【００６８】
また上述の実施例においては、本発明をカーナビゲーション装置及びサーバーに適用した場合について述べたが、本発明はこれに限らず、例えば携帯電話に係るナビゲーション装置等にも広く適用することができる。
【産業上の利用可能性】
【００６９】
本発明は、ナビゲーション装置、ナビゲーション装置の制御方法、ナビゲーション装置の制御プログラム及びナビゲーション装置のサービス提供方法に関し、例えばカーナビゲーション装置に適用することができる。
【図面の簡単な説明】
【００７０】
【図１】本発明の実施例１に係るカーナビゲーション装置の構成を示すブロック図である。
【図２】図１のカーナビゲーション装置の傾向データーベースの説明に供する図表である。
【図３】図１のカーナビゲーション装置における中央処理ユニットの処理手順を示すフローチャートである。
【図４】図３の続きを示すフローチャートである。
【図５】地図の表示例を示す平面図である。
【図６】予約した場合の中央処理ユニットの処理手順を示すフローチャートである。
【符号の説明】
【００７１】
１……カーナビゲーション装置、２……ＧＰＳ部、３……光ディスク装置、４……中央処理ユニット、８……表示部、１３……サーバー、１７Ａ……傾向データーベース
【図１】
2006058193.tif 000003
【図２】
2006058193.tif 000004
【図３】
2006058193.tif 000005
【図４】
2006058193.tif 000006
【図５】
2006058193.tif 000007
【図６】
2006058193.tif 000008